(57)【要約】【課題】チューナボックスのアンテナの接続部分から混入するノイズを抑制するチューナボックスおよび放送受信装置を提供すること。【解決手段】チューナボックスが、映像および音声を再生する電気回路を備える基板に載置され、前記基板に対向する底面と、前記底面に側面を介して接続される上面とを有するチューナカバーと、前記チューナカバーに収容され、放送信号を受信するチューナ基板と、前記チューナ基板と前記チューナカバーを接続して接地する第１の接地手段と、前記底面から前記基板に向かって傾斜する傾斜部と、前記傾斜部に接続され、前記基板に接触される接続部とを有する第２の接地手段とを具備する。【選択図】図２
2010004233.tif 000002
【特許請求の範囲】
【請求項１】
映像および音声を再生する電気回路を備える基板に載置され、前記基板に対向する底面と、前記底面に側面を介して接続される上面とを有するチューナカバーと、
前記チューナカバーに収容され、放送信号を受信するチューナ基板と、
前記チューナ基板と前記チューナカバーを接続して接地する第１の接地手段と、
前記底面から前記基板に向かって傾斜する傾斜部と、前記傾斜部に接続され、前記基板に接触される接続部とを有する第２の接地手段と
を具備することを特徴とするチューナボックス。
【請求項２】
前記傾斜部が、第１〜４の辺を有し、
前記第１〜３の辺の縁部に対応する前記底面の一部が切り欠かれ、前記第４の辺を起点として、前記切り欠かれた一部を前記基板の方向に折り曲げることで前記傾斜部が形成されること
を特徴とする請求項１記載のチューナボックス。
【請求項３】
前記接続部は、前記底面に平行となるように前記傾斜部の一部を折り曲げられて形成されることを特徴とする請求項１に記載のチューナボックス。
【請求項４】
前記傾斜部が、前記第４の辺を軸として、弾性的に屈曲可能なことを特徴とする請求項２に記載のチューナボックス。
【請求項５】
請求項１ないし４のいずれか１項に記載のチューナボックスと、
前記チューナボックスが載置される載置領域と、前記載置領域内に設けられ、前記チューナボックスの前記接続部と接触される接地用のランドとを備える基板と
を具備することを特徴とする放送受信装置。
【発明の詳細な説明】
【技術分野】
【０００１】
本発明は、チューナボックスおよび放送受信装置に関する。
【背景技術】
【０００２】
従来、ＣＡＴＶなどの放送信号を受信するチューナボックスを搭載する放送受信装置が知られている（例えば、特許文献１参照）。このような放送受信装置では、チューナボックスと、このチューナボックスを載置する基板とを金属製の固定用器具で固定するとともに、この固定用器具を用いてチューナボックスのグランドと基板のグランドとを接続している。
しかしながら、上記の技術では、固定用器具と基板とが点接触になりやすく、この場合放送信号受信用のアンテナと接続されるチューナボックスのアンテナ接続部分からノイズが混入してしまうことがあった。
【特許文献１】特開２００５−１８４５５０号公報
【発明の開示】
【発明が解決しようとする課題】
【０００３】
本発明は、かかる従来の問題を解消すべくなされたもので、チューナボックスのアンテナの接続部分から混入するノイズを抑制するチューナボックスおよび放送受信装置を提供することを目的とする。
【課題を解決するための手段】
【０００４】
上記の目的を達成するために本発明の一態様にかかるチューナボックスは、映像および音声を再生する電気回路を備える基板に載置され、前記基板に対向する底面と、前記底面に側面を介して接続される上面とを有するチューナカバーと、前記チューナカバーに収容され、放送信号を受信するチューナ基板と、前記チューナ基板と前記チューナカバーを接続して接地する第１の接地手段と、前記底面から前記基板に向かって傾斜する傾斜部と、前記傾斜部に接続され、前記基板に接触される接続部とを有する第２の接地手段とを具備することを特徴とする。
【０００５】
本発明の一態様にかかる放送受信装置は、上記したチューナボックスと、前記チューナボックスが載置される載置領域と、前記載置領域内に設けられ、前記チューナボックスの前記接続部と接触される接地用のランドとを備える基板とを具備することを特徴とする。
【発明の効果】
【０００６】
本発明によれば、チューナボックスのアンテナ接続部分から混入するノイズを抑制することができる。
【発明を実施するための最良の形態】
【０００７】
（実施の形態）
以下、図面を参照して、本発明の実施の形態に係る放送受信装置１を詳細に説明する。図１は、放送受信装置１の構成を示すブロック図である。図２は放送受信装置１が備えるチューナボックス１００を示す分解斜視図である。
図１に示すように放送受信装置１は、チューナボックス１００および基板本体２００を具備している。放送受信装置１は、特に図示はしない液晶表示部やスピーカなども備えることもできる。
【０００８】
図２に示すようにチューナボックス１００は、チューナ基板１１０、カバー本体１２０、アンテナ接続端子１３０、上蓋１４０、下蓋１５０を有する。
ここで主に図３を参照してチューナ基板１１０について説明する。図３は、チューナボックス１００が有するチューナ基板１１０を示す斜視図である。
図３に示すようにチューナ基板１１０は、板状に形成される。チューナ基板１１０は、アンテナ接続領域１１１、複数の回路素子１１２、複数の信号入出力用端子１１３、複数のチューナ基板接地ピン１１４を備える。チューナ基板１１０はさらに図示はしないターミナルなどを備えることができる。ターミナルは、例えば、チューナ基板１１０にアンテナ接続端子１３０を接続する際に使用される。
チューナ基板１１０は、アンテナ接続端子１３０を介して、地上アナログ波、地上デジタル波などの種々の放送信号を受信する。放送信号は、例えば９０[ＭＨｚ（メガヘルツ）]〜７７０[ＭＨｚ]の周波数帯の信号である。
【０００９】
アンテナ接続領域１１１は、アンテナ接続端子１３０と電気的に接続される。
回路素子１１２は、主にチューナ基板１１０の主面１１０ａに載置される。回路素子１１２は、例えば、ＩＣ（Integrated Circuit）チップ、抵抗素子、キャパシタ素子、コイル素子などである。
回路素子１１２は、主面１１０ａ上、チューナ基板１１０の内層または裏面１１０ｂ上などにおいて、例えば、半田や配線によってそれぞれ接続され電気回路１１２ａを形成する。回路素子１１２で構成される電気回路１１２ａによって、アンテナ接続端子１３０を介して受信する放送信号の選局などが行われる。
【００１０】
信号用入出力端子１１３は、ピン状の導電体である。信号用入出力端子１１３は、電気回路１１２ａに接続され、選局された放送信号を基板本体２００に入力する。
チューナ基板接地ピン１１４は、第１の接地手段の一部として機能する。チューナ基板接地ピン１１４はピン状の導電体である。チューナ基板接地ピン１１４は、裏面１１０ｂにおいて、一端部を電気回路１１２ａのグランドと接続される。さらにチューナ基板接地ピン１１４は他端部を下蓋１５０に接続される（図２参照）。
【００１１】
チューナ基板接地ピン１１４を介して電気回路１１２ａのグランドは、下蓋１５０に接続される。なお、チューナ基板接地ピン１１４は主面１１０ａ側に設けてもよい。チューナ基板接地ピン１１４が主面１１０ａに設けられた場合、チューナ基板接地ピン１１４は、上蓋１４０に接続される。
以上が、チューナ基板１１０の説明である。
次に再び図２を参照してカバー本体１２０、アンテナ接続端子１３０、上蓋１４０、下蓋１５０について説明する。
【００１２】
カバー本体１２０は、複数の側面板１２１〜１２４、複数の支持部材１２５を備える。カバー本体１２０は、側面板１２１〜１２４で囲まれ、チューナ基板１１０を収容するための収容空間１２７を有している。
カバー本体１２０は、例えば、側面板１２１〜１２３が一体的に形成される。そして、カバー本体１２０は、収容空間１２７内にチューナ基板１１０を収容した後、側面板１２４の両端が側面板１２２、１２３の一端側にそれぞれ圧着されることで全体として略直方体状に形成される。
カバー本体１２０は、収容空間１２７にチューナ基板１１０を収容した状態で、上方より上蓋１４０、下方より下蓋１５０が取り付けられる。カバー本体１２０は、導電性の材料（例えば、アルミニウム）で形成される。
【００１３】
側面板１２１は、略長方形状に形成される。側面板１２１の両端には、側面板１２２と側面板１２３が対向するように、これら側面板１２２、１２３の一端側がそれぞれ接続される。
側面板１２２と接続される側面板１２１の一端側には、この側面板１２１を貫通するアンテナ接続端子挿入孔１２１ａが設けられる。アンテナ接続端子挿入孔１２１ａには、アンテナ接続端子１３０の一端部が挿入される。
側面板１２２、１２３は、側面板１２１、１２４よりも長い略長方形状に形成される。側面板１２２、１２３の側面板１２４が接続される一端側には、一対の信号出力用端子露出孔１２６が設けられる。
【００１４】
支持部材１２５は、細長い板状に形成されている。支持部材１２５は、側面板１２２の上蓋１４０近傍の辺部から、この側面板１２２に対向する側面板１２３の上蓋１４０近傍の辺部にかけて、これらを接続するように設けられる。支持部材１２５によって、カバー本体１２０の剛性が向上する。
信号出力用端子露出孔１２６は、側面板１２２、１２３の長手方向に沿って形成されている。信号出力用端子露出孔１２６は、チューナ基板１１０が備える信号入出力用端子１１３をカバー本体１２０の外側に露出させるためのものである。
【００１５】
アンテナ接続端子１３０は、カバー本体１２０の外側に一端部が露出するようにアンテナ接続端子挿入孔１２１ａに挿入される。アンテナ接続端子１３０の露出する一端部は図示はしないアンテナと接続される。アンテナ接続端子１３０は、アンテナを介して受信した放送信号をチューナ基板１１０に入力する。
上蓋１４０は、カバー本体１２０の上面を覆うように取り付けられる。上蓋１４０は、外周に沿って複数の圧接爪部１４１を備える。
【００１６】
圧接爪部１４１は、弾性を有している。圧接爪部１４１は、上蓋１４０がカバー本体１２０に取り付けられる際に、側面板１２１〜１２４の辺部をカバー本体１２０内側に向かって締め付ける。このことにより上蓋１４０がカバー本体１２０に固定される。
下蓋１５０は、カバー本体１２０の下面を覆うように取り付けられる。下蓋１５０は、上蓋１４０とほぼ同じ形状を有している。下蓋１５０は、圧接爪部１４１と同様の機能を有する複数の圧接爪部１５１を備える。
さらに、下蓋１５０は、複数の第１の突辺１５０ａおよび複数の第２の突辺１５０ｂを有する。第１の突辺１５０ａは、第１の接地手段の他部として機能する。第２の突辺１５０ｂは、第２の接地手段として機能する。第１、第２の突辺１５０ａ、１５０ｂは、１つ以上であれば形成される個数は限定されない。
【００１７】
次に、図４を用いて第１、第２の突辺１５０ａ、１５０ｂについて詳細に説明する。図４は、下蓋１５０を示す斜視図である。
第１、第２の突辺１５０ａ、１５０ｂは基部１５１ａ、１５１ｂ、傾斜部１５２ａ、１５２ｂ、先端部１５３ａ、１５３ｂをそれぞれ有する。第１、第２の突辺１５０ａ、１５０ｂは、それぞれ、チューナ基板接地ピン１１４、基板本体２００と接続される。
【００１８】
基部１５１ａ、１５１ｂは、下蓋１５０の一部である。傾斜部１５２ａ、１５２ｂの一端は、それぞれ基部１５１ａ、１５１ｂに接続される。傾斜部１５２ａ、１５２ｂの他端部はそれぞれ先端部１５３ａ、１５３ｂに接続される。傾斜部１５２ａ、１５２ｂは、下蓋１５０に対して所定の角度（例えば４５度）をもって立ち上げられている。
なお、傾斜部１５２ａは、カバー本体１２０内部方向に向かって立ち上げられる。傾斜部１５２ｂは、カバー本体１２０外部方向に向かって立ち上げられる。
先端部１５３ａ、１５３ｂは、接続部として機能する。先端部１５３ａ、１５３ｂは、下蓋１５０に対して平行となるよう傾斜部１５２ａ、１５２ｂに接続される。
【００１９】
次に図５を用いて第１、第２の突辺１５０ａ、１５０ｂの形成方法を説明する。なお以下、説明を分かりやすくするため、主に第２の突辺１５０ｂについて説明する。図５は、下蓋１５０の第２の突辺１５０ｂが形成される箇所を示す断面図である。
まず、下蓋１５０の所定の場所において、主面１５０ｃから裏面１５０ｄにかけて貫通する切り込みが入れられる。
具体的には、傾斜部１５２ｂ、先端部１５３ｂを縁取るような切り込みが入れられる。この縁取られた部分は第１〜第３の辺として機能する。
なお主面１５０ｃはチューナ基板１１０に対向する面であり、裏面１５０ｄはその裏側の面である。
【００２０】
次に、切り込みを入れられていない基部１５１ｂに対応する部分を基点として、切り込みが入れられた部分を裏面１５０ｄの方向に立ち上げ、傾斜部１５２ｂが形成される（図５の矢印Ａ参照）。「切り込みを入れられていない基部１５１ｂに対応する部分」は第４の辺として機能する。
次に、傾斜部１５２ｂの先端部を下蓋１５０に対して平行となるよう曲げることで先端部１５３ｂが形成される（図５の矢印Ｂ参照）。
以上が第２の突辺１５０ｂの形成方法の説明である。第１の突辺１５０ａと第２の突辺１５０ｂとの形成方法の違いは、傾斜部１５２ａ、１５２ｂの立ち上げ方向である。すなわち、第１の突辺１５０ａを形成する際には、切り込みが入れられた部分を主面１５０ｃ方向に立ち上げる。なお、第１の突辺１５０ａは上蓋１４０に形成することもできる。上蓋１４０に形成された第１の突辺１５０ａは、チューナ基板１１０の主面１１０ａにチューナ基板接地ピン１１４が設けられた場合、このチューナ基板接地ピン１１４と接続される。
以上説明したようにチューナ基板１１０は、チューナ基板接地ピン１１４および第１の突辺１５０ａを介してカバー本体１２０、上蓋１４０、下蓋１５０と電気的に接続される。すなわち、カバー本体１２０、上蓋１４０、下蓋１５０は、チューナ基板１１０のグランドとして機能する。
【００２１】
次に再び図１を参照して基板本体２００について説明する。
基板本体２００は、チューナボックス載置領域２１０、回路部２２０を備える。
チューナボックス載置領域２１０には、チューナボックス１００が載置される。チューナボックス載置領域２１０には複数の信号用ランド２１１および複数の接地用ランド２１２が配置される。
信号用ランド２１１は、チューナボックス１００の信号入出力用端子１１３と電気的に接続される。信号用ランド２１１は信号入出力用端子１１３の配置に対応して、チューナボックス載置領域２１０の外周に沿って配置される。信号用ランド２１１は、表層配線または内層配線によって回路部２２０と電気的に接続される。
【００２２】
接地用ランド２１２は、チューナボックス１００の下蓋１５０に形成された第２の突辺１５０ｂと電気的に接続される。接地用ランド２１２は、第２の突辺１５０ｂが備える先端部１５３ｂとほぼ同様の大きさに形成されることが望ましい。
接地用ランド２１２は、第２の突辺１５０ｂが有する先端部１５３ｂの位置に対応して、チューナボックス載置領域２１０の所定の箇所に配置される。
【００２３】
回路部２２０は、回路素子２２０ａ（例えば、ＩＣチップ、抵抗素子、キャパシタ素子、コイル素子など）とこれらを電気的に接続する配線で主に構成される。
回路部２２０とチューナボックス１００が備える信号用入出力端子１１３とは、信号用ランド２１１を介して、電気的に接続される。すなわち、回路部２２０には信号用入出力端子１１３および信号用ランド２１１を介してチューナボックス１００が受信した放送信号に含まれる映像信号や音声信号などが入力される。
【００２４】
回路部２２０は、チューナボックス１００から入力された映像信号や音声信号のデコード処理などを行う。また、回路部２２０の一部は、図示はしない基板本体２００のグランド層に接続される。このグランド層には、接地用ランド２１２も接続されている。したがって、このグランド層には、接地用ランド２１２を介して第２の突辺１５０ｂも接続されている。
回路部２２０には、例えば、放送受信装置１が備える液晶表示装置やスピーカなどが接続される。
【００２５】
次に図６、図７を用いて、チューナボックス１００の基板本体２００への載置方法を説明する。図６は、チューナボックス１００の基板本体２００への載置方法を示す一部断面図である。図７は、基板本体２００に載置されたチューナボックス１００の第２の突辺１５０ｂ近傍を拡大して示す断面図である。
チューナボックス１００を基板本体２００に取り付ける際は、下蓋１５０とチューナボックス載置領域２１０を対面させた状態で、垂直方向にチューナボックス１００を降ろしていく。
次に、基板本体２００の信号用ランド２１１に信号入出力用端子１１３が挿入され、チューナボックス１００全体の載置位置が規定される。
【００２６】
なお、チューナボックス１００を安定して載置するための足を下蓋１５０の四隅に設け、基板本体２００にこの足を挿入するための孔部を形成することでチューナボックス１００の載置位置を規定することもできる。
信号用ランド２１１に信号入出力用端子１１３が挿入されると、第２の突辺１５０ｂの先端部１５３ｂが接地用ランド２１２と接触する。
このとき、第２の突辺１５０ｂは接地用ランド２１２に押しつけられることになり、傾斜部１５２ｂは基部１５１ｂを軸として屈曲し、下蓋１５０の方向にわずかに押し上げられる（図７参照）。この状態でチューナボックス１００は載置される。
【００２７】
以上のように載置することによって傾斜部１５２ｂの復元性により先端部１５３ｂには、接地用ランド２１２方向に常に力が加わることになる。
この結果、先端部１５３ｂと接地用ランド２１２との接続性が増す。
また、先端部１５３ｂと接地用ランド２１２とは面接触になる。面接触の場合、点接触と比べると接触抵抗を抑えることができ、結果として、チューナ基板１１０のグランドを確実に基板本体２００のグランド層に接続することができる。
【００２８】
次に、図８を用いて、以上のように載置されたチューナボックス１００の第２の突辺１５０ｂによる電気的な効果を説明する。図８は、電気回路１１２ａを示す概念図である。
まずチューナ基板１１０が備える回路素子１１２によって形成される電気回路１１２ａについて説明する。
電気回路１１２ａは、放送信号受信部３１０、第１、第２、第３の同調回路部３２０、３３０、３４０、ＩＦフィルタ部３５０、切替スイッチ３６０、アナログ検波回路部３７０、デジタルＩＦ出力部３８０、信号入出力部３９０、４００、４１０、グランド部４２０、制御部４３０、ＡＧＣ（Ａutomatic Gain Control）部４４０などで構成される。
電気回路１１２ａは、受信した放送信号に基づく周波数混合、利得制御など種々の処理を行う。
【００２９】
放送信号受信部３１０は、アンテナ接続端子１３０、バンドパスフィルタ３１１で構成される。バンドパスフィルタ３１１は、アンテナ接続端子１３０に入力される地上アナログ波、地上デジタル波以外の周波数の信号を減衰させる。
第１〜第３の同調回路部３２０〜３４０は、それぞれバンドパスフィルタ３２１ａ、３２１ｂ、３３１ａ、３３１ｂ、３４１ａ、３４１ｂ、アンプ３２２、３３２、３４２、ミキサ３２３、３３３、３４３、局部発振器３２４、３３４、３４４で構成される。
【００３０】
第１〜第３の同調回路部３２０〜３４０は、放送信号の選局を行う。すなわち、第１〜第３の同調回路部３２０〜３４０は、それぞれバンドパスフィルタ３２１ａ、３２１ｂ、３３１ａ、３３１ｂ、３４１ａ、３４１ｂなどによってアンテナ接続端子１３０を介して受信した地上アナログ波、地上デジタル波のうち所望の周波数の放送信号を通過させる。
第１の同調回路部３２０は、ＵＨＦ−Ｂａｎｄ（Ultra High Frequency−Ｂand）の放送信号の選局を行う。ＵＨＦ−Ｂａｎｄは例えば、３００[ＭＨｚ]以上７７０[ＭＨｚ]以下の周波数帯である。
【００３１】
第２の同調回路部３３０は、ＶＨＦ−Ｂａｎｄ（Very High Frequency−Ｂand）の放送信号のうち、１８０[ＭＨｚ]以上３００[ＭＨｚ]より下の周波数帯の放送信号の選局を行う。
第３の同調回路部３４０は、ＶＨＦ−Ｂａｎｄの放送信号のうち例えば、９０[ＭＨｚ]以上１８０[ＭＨｚ]より下の周波数体の放送信号の選局を行う。
第１〜第３の同調回路部３２０〜３４０は、ミキサ３２３、３３３、３４３、局部発振器３２４、３３４、３４４を用いてそれぞれ選局した放送信号に所定の周波数を混合し、中間周波数（ＩＦ：Intermediate Frequency ）となるよう周波数変換を行う。
【００３２】
ＩＦフィルタ部３５０は、ＩＦフィルタ３５１、アンプ３５２で構成される。ＩＦフィルタ部３５０は、中間周波数に変換された放送信号の雑音などを取り除くためのものである。
切替スイッチ３６０は、制御部４３０によってＩＦフィルタ部３５０を通過した放送信号の出力先の切替を行う。出力先は、アナログ検波回路部３７０またはデジタル出力部３８０である。
アナログ検波回路部３７０は、アンプ３７１、ＳＡＷ（Surface Ａcoustic Wave：弾性表面波）フィルタ３７２、検波回路３７３で構成される。
アンプ３７１は、ＩＦフィルタ部３５０を通過した地上アナログ波の放送信号を増幅する。
ＳＡＷフィルタ３７２は、アンプ３７１によって増幅された放送信号のノイズを除去する。
検波回路３７３は、アンプ３７１、ＳＡＷフィルタ３７２を通過した放送信号から音声、映像信号を取り出してそれぞれ、基板本体２００に出力する。
検波回路は、入力されたＩＦ信号から自動周波数調整信号（ＡＦＴ信号：Ａuto Frequency Tuning信号)を作成し、基板本体２００に出力する。
【００３３】
デジタル出力部３８０は、ＳＡＷフィルタ３８１、アンプ３８２で構成される。ＳＡＷフィルタ３８１は、ＩＦフィルタ部３５０を通過した地上デジタル波の帯域外のノイズを除去する。アンプ３８２は、ＳＡＷフィルタ３８１を通過した放送信号を利得制御し、基板本体２００に出力する。
信号入出力部３９０〜４１０は、チューナ基板１１０と、基板本体２００との間で種々の信号の受け渡しを行う。信号入出力部３９０〜４１０はそれぞれ信号入出力用端子１１３に接続される。
【００３４】
信号入出力部３９０は、信号出力端子３９１〜３９３を有する。信号出力端子３９１〜３９３は、検波回路３７３が取り出した音声、映像信号および作成した自動周波数調整信号を基板本体２００に出力するためのものである。
信号入出力部４００は、信号出力端子４０１、４０２を有する。信号出力端子４０１、４０２は、デジタル出力部３８０を通過した地上デジタルＩＦ信号を差動出力するためのものである。
信号入出力部４１０は、信号入出力端子４１１、４１２、４１３、４１４、４１５を有する。信号出力端子４１１、４１２、４１３、４１４、４１５には、それぞれ、デジタルＩＦＡＧＣ信号、Ｉ２Ｃ信号、５Ｖ、３２Ｖ、アナログＲＦＡＧＣ信号が入力される。
デジタル用ＩＦＡＧＣ信号、選局信号、５Ｖ、３２Ｖの電力はそれぞれ基板本体２００から入力される。アナログ用ＲＦＡＧＣ信号は検波回路３７３から入力される。
【００３５】
グランド部４２０は、回路素子１１２と接続されるグランド端子である。グランド部４２０は、チューナ基板接地ピン１１４、第１、第２の突辺１５０ａ、１５０ｂを介して基板本体２００のグランド層と電気的に接続される。
制御部４３０は、ＰＬＬ４３１、発振器４３２で構成される。制御部４３０は選局周波数制御などを行う。
ＡＧＣ部４４０は周波数変換されたＩＦ信号レベルから第１〜第３の同調回路部３２０〜３４０が備えるアンプ３２２、３３２、３４２に対してＡＧＣを行う。
【００３６】
以上のように構成された電気回路１１２ａを備えるチューナ基板１１０のグランド部４２０を接続性の低い（すなわち点接触）状態で基板本体２００のグランド層に接続すると、グランド部４２０とアンテナ接続端子１３０間のインピーダンスに応じて、アンテナ接続端子１３０にノイズが飛び込むことがある（図８の矢印Ｎ）。
アンテナ接続端子１３０に飛び込んだノイズは、選局された地上アナログ波と共に検波回路３７３において検波され、表示装置に縞として表示される恐れがある。すなわち、良好な視聴環境が得られない。
本願発明の放送受信装置１は、第２の突辺１５０ｂが傾斜部１５２ｂの復元性により、基板本体２００の接地用ランド２１２に確実に接続されるので、グランド部４２０と、基板本体２００のグランド層と接続性が向上する。結果としてアンテナ接続端子１３０へのノイズの飛び込みを防止することができる。
【００３７】
また、従来、チューナボックス１００と基板本体２００のグランド層とを、数ミリ四方の小さな接地用導電チップで接続することがあった。この場合には、導電チップとチューナボックス１００とが点接触になる畏れがあるばかりでなく、以下のような問題がおこることがあった。
Ａ．導電チップが基板本体２００に対して曲がって取り付けられ、接触性が損なわれる。
Ｂ．導電チップのため、バネ性が得られず導電チップとチューナボックス１００との間に隙間などができる。隙間ができることを回避可能な導電チップを選定するためコストがかかる。
Ｃ．導電チップが基板本体２００より物理的に脱落する。
この実施の形態の放送受信装置１は、第２の突辺１５０ｂが下蓋１５０から形成され、かつ傾斜部１５２ｂにより復元性を有するためこのような問題がおこることを防止することができる。
【００３８】
なお、チューナボックス１００は、上記に限定されることなく種々の変形例が考えられる。
例えば上記実施の形態では、第２の突辺１５０ｂを下蓋１５０の一部を切り欠くことで形成したが、予め第２の突辺１５０ｂを別部品として形成し、下蓋１５０の裏面１５０ｄに溶接（例えば電気溶接など）して設けるようにしてもよい。
この場合、個々に形成された第２の突辺１５０ｂの傾斜部１５２ｂの長さに個体差が出る畏れがあるが、傾斜部１５２ｂの角度を調整することでこの差を軽減することができ、基板本体２００との間に隙間ができることを防止することができる。
また、上記実施の形態では、傾斜部１５２ｂの先端部を折り曲げて先端部１５３ｂを形成したが、この先端部１５３ｂも別部品として形成し、傾斜部１５２ｂ形成後に溶接するようにしてもよい。
【図面の簡単な説明】
【００３９】
【図１】放送受信装置１の構成を示すブロック図。
【図２】放送受信装置１が備えるチューナボックス１００を示す分解斜視図。
【図３】チューナボックス１００が備えるチューナ基板１１０を示す斜視図。
【図４】下蓋１５０を示す斜視図。
【図５】下蓋１５０の第２の突辺１５０ｂが形成される箇所を示す断面図。
【図６】チューナボックス１００の基板本体２００への載置方法を示す一部断面図。
【図７】基板本体２００に載置されたチューナボックス１００の第２の突辺１５０ｂ近傍を拡大して示す断面図。
【図８】電気回路１１２ａを示す概念図。
【符号の説明】
【００４０】
１…放送受信装置、１００…チューナボックス、１１０…チューナ基板、１１０ａ，１５０ｃ…主面、１５０ｄ，１１０ｂ…裏面、１１１…アンテナ接続領域、１１２，２２０ａ…回路素子、１１２ａ…電気回路、１１３…信号入出力用端子、１１４…チューナ基板接地ピン、１２０…カバー本体、２２０…回路部、１２１，１２２，１２３，１２４…側面板、１２１ａ…アンテナ接続端子挿入孔、１２５…支持部材、１２６…信号出力用端子露出孔、１２７…収容空間、１３０…アンテナ接続端子、１４０…上蓋、１４１…圧接爪部、１５０…下蓋、１５０ａ…第１の突辺、１５０ｂ…第２の突辺、１５１…圧接爪部、１５１ａ，１５１ｂ…基部、１５２ａ，１５２ｂ…傾斜部、１５３ａ，１５３ｂ…先端部、２００…基板本体、２１０…チューナボックス載置領域、２１１…信号用ランド、２１２…接地用ランド、３１０…放送信号受信部、３１１，３２１ａ，３２１ｂ，３３１ａ，３３１ｂ，３４１ａ，３４１ｂ…バンドパスフィルタ、３２０，３３０，３４０…同調回路部、３２２，３３２，３４２，３５２，３７１，３８２…アンプ、３２３…ミキサ、３２４…局部発振器、３５０…ＩＦフィルタ部、３５１…ＩＦフィルタ、３６０…切替スイッチ、３７０…アナログ検波回路部、３７２，３８１…ＳＡＷフィルタ、３７３…検波回路、３８０…デジタル出力部、３９０，４００，４１０…信号入出力部、４１１，４１２，４１３，４１４，４１５…信号出力端子、４２０…グランド部、４３０…制御部、４３１…ＰＬＬ、４３２…発振器、４４０…ＡＧＣ部。
【図１】
2010004233.tif 000003
【図２】
2010004233.tif 000004
【図３】
2010004233.tif 000005
【図４】
2010004233.tif 000006
【図５】
2010004233.tif 000007
【図６】
2010004233.tif 000008
【図７】
2010004233.tif 000009
【図８】
2010004233.tif 000010